(57)【要約】本発明の課題は、情報量の多い動画像等の画像データや大容量のメールデータ等を大画面で表示可能な小型の表示装置を提供することである。  表示装置を備えた携帯電話機（１）は、本体（２）の一側部に収納部（５）が配設され、この収納部（５）には巻取展開軸（７）が設けられ、巻取展開軸（７）によって高分子液晶フィルム等からなる表示部（４）をロール状に巻回して収納可能となっている。表示部（４）は、収納部（５）の開口部（６）より繰り出しまたは引き出して突出させ、展開可能となっている。表示制御部（１２）は、巻取展開軸（７）を駆動制御して表示面が表示情報の表示サイズに対応する大きさとなるように表示部（４）の展開量を制御し、表示部（４）に情報を表示する。また、表示部（４）の展開量に応じて表示情報の表示サイズを変更して表示することも可能である。
2004084171.tif 000002
【特許請求の範囲】
【請求項１】
二次元平面状の表示面を有する表示装置であって、
前記表示面を形成する可撓性を有する平板状の部材を含んで構成される表示部と、
前記表示部の一端に接続され前記表示部を巻回する巻取展開軸部と、
前記巻取展開軸部により巻回された表示部を収納する収納部と、
前記収納部より突出して展開された前記表示部の展開量を検出する展開量検出部と、
前記表示部の展開量と前記表示部に表示する表示情報の表示サイズとに応じて前記表示部に対する制御を行う表示制御部と、
を備える表示装置。
【請求項２】
請求の範囲第１項記載の表示装置であって、
前記表示制御部は、前記表示情報の表示サイズに応じて、前記巻取展開軸部の駆動制御を行って前記表示部の展開量を調整するものである表示装置。
【請求項３】
請求の範囲第１項記載の表示装置であって、
前記表示制御部は、前記展開量検出部で検出された前記表示部の展開量に応じて、前記表示情報の表示サイズを調整して前記表示部に送出するものである表示装置。
【請求項４】
請求の範囲第１項記載の表示装置であって、
前記表示制御部は、前記表示部が前記収納部より突出して展開された状態のときに前記表示部において情報表示を行い、前記表示部が前記収納部に収納された状態のときに前記表示部における情報表示を停止するものである表示装置。
【請求項５】
請求の範囲第１項記載の表示装置であって、
前記表示制御部は、予め定めた所定の収納条件を満たす場合に、前記巻取展開軸部の駆動制御を行って前記表示部を前記収納部に収納するものである表示装置。
【請求項６】
請求の範囲第１項乃至第６項のいずれか一項に記載の表示装置を備えた電子機器。
【発明の詳細な説明】
【技術分野】  本発明は、例えば携帯電話機等の小型の電子機器に用いられる表示装置に関する。
【背景技術】  近年、携帯電話機は半導体技術の進歩や情報インフラの整備等により、多機能化や性能の向上が著しく進み、市場への普及には目覚しいものがある。最近では、本来の電話機能の他に、例えば、文字メール、着信音やメロディのデータ、画像データ、動画像データ、画像データ等を含む大容量のメールなどの送受信、更には動画像の双方向通信なども可能となっている。また、ネットワークに接続して様々な情報を取得して表示できるようになっている。
このような携帯電話機では、携帯性が重視される結果として装置の小型化が要求され、液晶等の表示装置も小型のものが使用されている。携帯電話機本来の電話機能の用途では、小型の表示装置でも十分であるが、例えば、静止画像や動画像を表示したり、大容量のメールを表示したり、ネットワーク上で提供される各種情報を表示したりする場合などには、大型の表示装置が望まれる。しかし、携帯電話機に大型の表示装置を備えると、持ち運びに難を来して不便となり、また大型の表示装置のために操作部のレイアウトに制約を受けると共に、操作性が犠牲になるおそれがある。
従来、小型化を維持しながら情報量の多いデータやメッセージを表示可能にする表示装置の例としては、装置本体に設けた表示装置に対向して開閉自在の蓋体を設け、蓋体の裏面側に別の表示装置を配置することにより、蓋体を開いた際にマルチ画面を形成するようにしたものが提案されている（例えば、特許文献１参照）。このように従来では、表示面積を広げかつコンパクトに収納するために、折り畳み構造やスライド構造を用いて液晶表示素子等による表示部を配設する方法が採られている。
【特許文献１】  特開平９−２４７２５０号公報（第２−３頁、図１）
上述したように、携帯電話機等の小型の電子機器において、種々の情報を大型の表示装置で表示する場合、装置筐体が大型化して持ち運びに不便であったり、操作部のレイアウトが困難となったり、操作性が悪化するなどの問題点が生じていた。
また、上記従来例の表示装置では、装置本体の表示装置と蓋体の裏面に設けた表示装置とは互いに独立して配置されているので、蓋体を開いた際に表示される画面は不連続となり、使用者にとって見づらい場合があり、特に、画像を表示する場合に不自然さが生ずるという問題点がある。
また、従来では表示装置における表示画面の大きさを表示情報の表示サイズに応じて変更することができないので、表示可能な情報量が制限されるという問題点がある。
本発明は、上記事情に鑑みてなされたもので、搭載した装置の操作性を損なうことなく、情報量の多い動画像等の画像データや大容量のメールデータ等を大画面で表示でき、かつ、非表示時には持ち運びが容易になるように小型化することができる表示装置を提供することを目的とする。
【発明の開示】
本発明の表示装置は、二次元平面状の表示面を有する表示装置であって、前記表示面を形成する可撓性を有する平板状の部材を含んで構成される表示部と、前記表示部の一端に接続され前記表示部を巻回する巻取展開軸部と、前記巻取展開軸部により巻回された表示部を収納する収納部と、前記収納部より突出して展開された前記表示部の展開量を検出する展開量検出部と、前記表示部の展開量と前記表示部に表示する表示情報の表示サイズとに応じて前記表示部に対する制御を行う表示制御部と、を備えるものである。
上記構成によれば、表示部を突出させて展開することにより、情報量の多い動画像等の画像データや大容量のメールデータ等であっても大画面で表示でき、また、非表示時には表示部を巻取展開軸部で巻き取って収納部に収納することにより、小型で持ち運びが容易な表示装置を実現可能となる。
また、上記の表示装置であって、前記表示制御部は、前記表示情報の表示サイズに応じて、前記巻取展開軸部の駆動制御を行って前記表示部の展開量を調整するものを含む。
上記構成によれば、表示制御部によって表示部の展開量を駆動制御し、表示情報の表示サイズに応じて展開量を変更できるため、情報量の多いデータであっても情報量に応じて適切に画面表示することが可能となる。
また、上記の表示装置であって、前記表示制御部は、前記展開量検出部で検出された前記表示部の展開量に応じて、前記表示情報の表示サイズを調整して前記表示部に送出するものを含む。
上記構成によれば、表示部の展開量に応じて表示情報の表示サイズを調整して表示することができるため、情報量の多いデータであっても表示部の展開量に応じて適切に画面表示することが可能となる。
また、上記の表示装置であって、前記表示制御部は、前記表示部が前記収納部より突出して展開された状態のときに前記表示部において情報表示を行い、前記表示部が前記収納部に収納された状態のときに前記表示部における情報表示を停止するものを含む。
上記構成によれば、必要時にのみ表示部を展開して情報量の多いデータを大画面で表示可能であり、表示画面の大型化と装置の小型化とを両立でき、さらに操作性や携帯性の向上を図ることも可能である。
また、上記の表示装置であって、前記表示制御部は、予め定めた所定の収納条件を満たす場合に、前記巻取展開軸部の駆動制御を行って前記表示部を前記収納部に収納するものを含む。
上記構成によれば、例えば、所定時間操作入力が無い、電池が無くなる直前である等の所定の収納条件を満たす場合に、表示部を自動的に収納して非表示時にすることができ、使い勝手を向上できる。
また、本発明は、上記いずれかに記載の表示装置を備えた電子機器を含む。この構成により、例えば携帯電話機等の小型の電子機器に表示装置を搭載することにより、情報量の多い動画像等の画像データや大容量のメールデータ等を大画面で表示でき、かつ、持ち連びが容易な小型の電子機器を得ることができる。
また、表示部の突出側の端部を収納部の開口部に配置させることにより、表示装置を搭載した電子機器を、例えば机上においたままで端部を手で摘んで引き出すなどの簡便な操作によって表示部を展開させて必要な情報を表示することが可能となる。
【図面の簡単な説明】  図１は、本発明の実施形態を説明するための携帯電話機の外観構成を示す図であり、
図２は、本実施形態の表示装置を搭載した携帯電話機の内部構成を一部切欠き断面で示す図であり、
図３は、図２におけるＡ−Ａ’線断面を示す図であり、
図４は、本実施形態の携帯電話機における機能的構成を示す図であり、
図５は、表示部を本体から自動的に繰り出して展開して情報の表示を行う場合の動作手順のフローを示す図であり、
図６は、表示情報の表示サイズに対応する表示部の展開量の一例を示す図であり、
図７は、表示部を使用者が本体から任意に引き出して展開して情報の表示を行う場合の動作手順のフローを示す図であり、
図８は、表示部の展開量に対応して変更可能な表示情報の表示サイズの一例を示す図であり、
図９は、本体から突出した表示部を本体の収納部に収納する場合の動作手順のフローを示す図である。
なお、図中の符号、１は携帯電話機、２は本体、３は操作部、４は表示部、５は収納部、６は開口部、７は巻取展開軸、８は展開量検出部、９は端部、１０は制御部、１１はメモリ、１２は表示制御部である。
【発明を実施するための最良の形態】  本実施形態では、小型の電子機器として携帯電話機を例にとり、表示装置を携帯電話機に適用した場合の構成例を示す。
図１は本発明の実施形態を説明するための携帯電話機の外観構成を示す図である。図２は本実施形態の表示装置を搭載した携帯電話機の内部構成を一部切欠き断面で示す図であり、図３は図２におけるＡ−Ａ’線断面を示す図である。
本実施形態の携帯電話機１は、本体２と、本体２に設けられた操作部３と、本体２に対して収納、展開可能に設けられた表示部４とを備えている。本体２は、薄型の略直方体の箱状に形成された筐体によって構成される。操作部３は、本体２の表面に配置されたテンキーや機能キー等の操作キーにより構成される。表示部４は、略矩形状の薄型で平板状の可撓性を有する部材からなり、二次元平面状の表示面を形成するもので、非表示時には本体２の内部に巻回状態で収納され、表示時には駆動手段または手動によって外部に展開可能に構成される。また、本体２の内部には、制御部１０、メモリ１１、表示制御部１２等の機能を実現する回路部品が基板上に搭載されて設けられている。
本体２の一側部には、表示部４を収納可能な収納部５が設けられ、この収納部５がある本体２の側面部に開口する細長の開口部６が形成されている。表示部４は、高分子液晶フィルム等により構成され、長手方向にロール状に巻回されて収納部５に収納される。この表示部４は、展開時にはその一端部が開口部６より突出し、平板状に拡張可能になっている。表示部４の突出側の一端部は、表示部４を手動で引き出す際に手でつまむための把持部となる厚肉の端部９を形成している。
収納部５には、表示部４を巻回して収納するための巻取展開軸７が回転自在に設けられ、表示部４の収納側の他端部が固着されている。この巻取展開軸７は、表示部４と表示制御部１２との間の電気的接続を行う図示しない信号線と、表示部４を開口部６より本体２外部へ繰り出して展開すると共に展開した表示部４を収納部５内に巻き取るための図示しない駆動機構とを備えている。なお、巻取展開軸７は、表示制御部１２の制御により駆動機構をオフさせることでフリー状態となり、この状態では使用者が表示部４の端部９をつまんで開口部６から引き出して展開することができる。
また、収納部５には、開口部６から繰り出され、または引き出されて展開された際の表示部４の展開量、すなわち外部に突出した表示部４の大きさを検出する展開量検出部８が配設されている。
図４は本実施形態の携帯電話機における機能的構成を示す図である。制御部１０は、携帯電話機１の全体の動作等の制御を行うもので、プロセッサを主体に構成される。表示制御部１２は、表示部４に関する情報表示や駆動等の制御を行うものである。メモリ１１は、制御部１０の動作プログラム、装置動作等に関する各種データ、表示部４において表示する画像や文字等の表示データ等を記憶するもので、ＲＡＭ、ＲＯＭ等により構成される。これらの制御部１０、メモリ１１、及び表示制御部１２が相互に接続されている。
表示制御部１２は、巻取展開軸７を介して展開量検出部８及び表示部４と接続されている。展開量検出部８は、フォトセンサ等により構成され、表示部４の収納部５内の巻回量や表示部４の側端部に設けた目盛り等を検出することによって、外部に突出した表示部４の大きさを検出し、検出信号を表示制御部１２に出力する。巻取展開軸７は、表示制御部１２の制御に基づいて回転し、表示部４の繰り出し、巻き取りを行う。表示制御部１２は、制御部１０からの表示情報に基づき、表示部４に表示信号を出力したり、制御部１０からの制御情報及び展開量検出部８からの検出信号に基づいて巻取展開軸７の駆動制御を行う。
表示部４は、表示制御部１２からの表示信号によって表示面に文字や画像等の情報表示を行う。このとき、例えば、表示制御部１２は表示部４が繰り出されるが引き出されて本体２の外部へ突出しているときに表示信号を出力して情報表示を行い、表示部４が巻取展開軸７に巻き取られて収納部５内に収納されているときに表示信号の出力を停止して情報表示を終了する。
次に、本実施形態の表示装置における動作について説明する。
図５は、表示部４を本体２から自動的に繰り出して展開して情報の表示を行う場合の動作手順のフローを示す図である。
この場合、まず、制御部１０は、携帯電話機１にテレビ電話等の着信があるか否か、若しくは、画像を表示するための操作部３からの操作信号入力があるか否かを監視する（ステップＳ１１）。ここで、着信や操作信号入力があった場合、制御部１０は表示する画像データの表示情報と表示部４の展開サイズをこの表示情報の表示サイズに調整するための制御情報を表示制御部１２に送出する（ステップＳ１２）。携帯電話機１に予め記憶されている画像データを表示する場合は、制御部１０はメモリ１１から画像データを読み出して表示情報として表示制御部１２に転送する。
表示制御部１２は、制御部１０からの制御情報を受けて巻取展開軸７に駆動信号を送出し、巻取展開軸７の図示しない駆動機構を駆動させる（ステップＳ１３）。これにより、表示部４は本体２の開口部６から繰り出されて展開される。このとき、展開量検出部８により表示部４の展開量、すなわち外部に突出した表示部４の表示面の面積が検出され、検出信号として表示制御部１２にフィードバックされる。表示制御部１２は、表示部４の展開量が表示情報の表示サイズに相当する指定の大きさであるか否かを判定する（ステップＳ１４）。
ここで、表示情報の表示サイズと表示部４の展開量との対応関係について説明する。図６は表示情報の表示サイズに対応する表示部４の展開量の一例を示す図である。この図６は、携帯電話機１において表示可能な表示情報の最大サイズが１０２４×７６８ピクセルであるとき、表示部４の全体を本体２から繰り出して表示する場合の展開量を１００％として表したものである。よって、表示サイズが１０２４×７６８ピクセルのときは展開量１００％、表示サイズが８００×６００ピクセルのときは展開量７５％、表示サイズが６４０×４８０ピクセルのときは展開量５０％、表示サイズが３２０×２４０ピクセルのときは展開量２５％にそれぞれ設定される。
図５のステップＳ１４で、表示部４の展開量が表示情報の表示サイズに対応する指定のサイズであると判定された場合は、ステップＳ１５に進み、表示制御部１２は表示部４へ画像データの表示情報に基づく表示信号を送出する。これにより、表示部４に指定の表示サイズで表示情報が表示される。一方、ステップＳ１４で表示部４の展開量が指定のサイズに満たない場合は、ステップＳ１２に戻り、表示サイズに対応する展開量となるまで表示部４を繰り出す制御を繰り返す。
図７は、表示部４を使用者が本体２から任意に引き出して展開して情報の表示を行う場合の動作手順のフローを示す図である。
この場合、使用者によって表示部４の端部９が指先で摘まれて開口部６から引き出されると（ステップＳ２１）、展開量検出部８は引き出された表示部４の展開量を検出し（ステップＳ２２）、展開量データとして表示制御部１２に送出する（ステップＳ２３）。これにより、表示制御部１２は現在の表示部４の展開量を取得する。
次いで、制御部１０は表示制御部１２から展開量データを受けて表示情報の表示サイズを変更するか否かを判断し（ステップＳ２４）、展開量と表示サイズとが対応しない場合は表示情報の表示サイズを変更する（ステップＳ２５）。
ここで、表示部４の展開量と変更する表示情報の表示サイズとの対応関係について説明する。図８は表示部４の展開量に対応して変更可能な表示情報の表示サイズの一例を示す図である。この図８より、展開量が７５〜１００％であれば、表示サイズを１０２４×７６８ピクセルに変更可能であり、展開量が５０〜７５％であれば表示サイズを８００×６００ピクセルに、展開量が２５〜５０％であれば表示サイズを６４０×４８０ピクセルに、展開量が２５％未満のときは３２０×２４０ピクセルにそれぞれ変更可能である。
次に、制御部１０は表示制御部１２に画像データの表示情報を送出する（ステップＳ２６）。なお、ステップＳ２４で表示サイズの変更を行わない場合は、ステップＳ２５の表示サイズ変更ステップを行わずにステップＳ２６で表示情報を送出する。そして、表示制御部１２は表示部４へ前記表示情報に基づく表示信号を送出する。これにより、表示部４に指定の表示サイズで表示情報が表示される（ステップＳ２７）。
図９は、本体２から自動的に繰り出されたか、或いは使用者により任意に引き出されて本体２から突出した表示部４を、本体２の収納部５に収納する場合の動作手順のフローを示す図である。
この場合、まず、制御部１０は、携帯電話機１において一定時間無入力状態が続いているか否かを監視する（ステップＳ３１）。そして、無入力状態が続いている場合は、表示部４を収納することのできる予め定めた収納条件、例えば、一定時間キー操作がない場合や電池の残量が無くなる寸前である等の収納条件を満たすかどうかを確認する（ステップＳ３２）。なお、ここで表示部４を収納するための操作部３からの操作信号入力があるか否かを監視し、収納指示の操作信号入力があったときに収納条件を満たすかどうかを確認するようにしてもよい。
ステップＳ３２で収納条件を満たしていることが確認できると、制御部１０は表示部４を収納するための制御情報を表示制御部１２に送出する（ステップＳ３３）。表示制御部１２は、制御部１０からの制御情報を受けて巻取展開軸７に駆動信号を送出し、巻取展開軸７の図示しない駆動機構を駆動させる（ステップＳ３４）。これにより、表示部４は巻取展開軸７に巻き取られて本体２の収納部５内に収納される。そして、表示制御部１２は表示部４への表示信号の出力を停止して情報表示を終了する（ステップＳ３５）。
このように、本実施形態の表示装置は、携帯電話機１の本体２の側端部に収納部５を設け、収納部５の内部に備えた巻取展開軸７に高分子液晶フィルム等からなる可撓性を有するフィルム状の表示部４の一端を取り付け、巻取展開軸７にロール状に巻回して収納したり、本体２の開口部６から繰り出しまたは引き出して展開可能に構成する。
そして、表示部４を表示情報の表示サイズに対応する展開量となるように制御して本体２から繰り出して外部へ突出させ、表示情報を表示する。或いは、表示部４の端部９を使用者が摘んで引き出した場合に、表示部４の展開量に対応するように表示サイズを変更し、表示情報を表示する。
このような構成により、小型化と大画面の情報表示との相反する要求の両立が課題である携帯電話機等の電子機器に搭載した場合においても、搭載した装置の操作性を損なうことなく、また不自然さを生ずることなく、情報量の多い動画像等の画像データや大容量のメールデータ等を大画面で表示でき、かつ、非表示時には持ち運びが容易な小型の表示装置を実現することが可能となる。
なお、上記実施形態では、携帯電話機１の本体２をほぼ直方体状の箱体で構成した例について説明したが、可撓性のある表示部４をロール状に巻回して収納可能であり、かつ、平板状に展開可能であれば、他の形状であっても同様に本発明を適用可能である。
また、表示部４、収納部５、開口部６、巻取展開軸７等を本体２の長手方向の一側部に配設した例を説明したが、本体２の短手方向や本体２に正面に対して垂直方向等、その他の方向に開口する端部等の他の位置に配設しても同様に実施可能である。
本発明を詳細にまた特定の実施態様を参照して説明したが、本発明の精神と範囲を逸脱することなく様々な変更や修正を加えることができることは当業者にとって明らかである。
本出願は、２００３年３月１９日出願の日本特許出願Ｎｏ．２００３−０７５８６０に基づくものであり、その内容はここに参照として取り込まれる。
【産業上の利用可能性】  以上説明したように本発明によれば、搭載した装置の操作性を損なうことなく、情報量の多い動画像等の画像データや大容量のメールデータ等を大画面で表示でき、かつ、非表示時には持ち運びが容易になるように小型化することができる表示装置を提供できる。
【図１】
2004084171.tif 000003
【図２】
2004084171.tif 000004
【図３】
2004084171.tif 000005
【図４】
2004084171.tif 000006
【図５】
2004084171.tif 000007
【図６】
2004084171.tif 000008
【図７】
2004084171.tif 000009
【図８】
2004084171.tif 000010
【図９】
2004084171.tif 000011
【手続補正書】
【提出日】平成17年9月14日(2005.9.14)
【手続補正１】
【補正対象書類名】特許請求の範囲
【補正対象項目名】全文
【補正方法】変更
【補正の内容】
【特許請求の範囲】
【請求項１】
二次元平面状の表示面を有する表示装置であって、
前記表示面を形成する可撓性を有する平板状の部材を含んで構成される表示部と、
前記表示部の一端に接続され前記表示部を巻回する巻取展開軸部と、
前記巻取展開軸部により巻回された表示部を収納する収納部と、
前記収納部より突出して展開された前記表示部の展開量を検出する展開量検出部と、
前記表示部の展開量と前記表示部に表示する表示情報の表示サイズとに応じて前記表示部に対する制御を行う表示制御部と、
を備える表示装置。
【請求項２】
請求項１記載の表示装置であって、
前記表示制御部は、前記表示情報の表示サイズに応じて、前記巻取展開軸部の駆動制御を行って前記表示部の展開量を調整するものである表示装置。
【請求項３】
請求項１記載の表示装置であって、
前記表示制御部は、前記展開量検出部で検出された前記表示部の展開量に応じて、前記表示情報の表示サイズを調整して前記表示部に送出するものである表示装置。
【請求項４】
請求項１記載の表示装置であって、
前記表示制御部は、前記表示部が前記収納部より突出して展開された状態のときに前記表示部において情報表示を行い、前記表示部が前記収納部に収納された状態のときに前記表示部における情報表示を停止するものである表示装置。
【請求項５】
請求項１記載の表示装置であって、
前記表示制御部は、予め定めた所定の収納条件を満たす場合に、前記巻取展開軸部の駆動制御を行って前記表示部を前記収納部に収納するものである表示装置。
【請求項６】
請求項１乃至６のいずれか一項に記載の表示装置を備えた電子機器。
【手続補正２】
【補正対象書類名】明細書
【補正対象項目名】全文
【補正方法】変更
【補正の内容】
【発明の詳細な説明】
【技術分野】
【０００１】
本発明は、例えば携帯電話機等の小型の電子機器に用いられる表示装置に関する。
【背景技術】
【０００２】
近年、携帯電話機は半導体技術の進歩や情報インフラの整備等により、多機能化や性能の向上が著しく進み、市場への普及には目覚しいものがある。最近では、本来の電話機能の他に、例えば、文字メール、着信音やメロディのデータ、画像データ、動画像データ、画像データ等を含む大容量のメールなどの送受信、更には動画像の双方向通信なども可能となっている。また、ネットワークに接続して様々な情報を取得して表示できるようになっている。
【０００３】
このような携帯電話機では、携帯性が重視される結果として装置の小型化が要求され、液晶等の表示装置も小型のものが使用されている。携帯電話機本来の電話機能の用途では、小型の表示装置でも十分であるが、例えば、静止画像や動画像を表示したり、大容量のメールを表示したり、ネットワーク上で提供される各種情報を表示したりする場合などには、大型の表示装置が望まれる。しかし、携帯電話機に大型の表示装置を備えると、持ち運びに難を来して不便となり、また大型の表示装置のために操作部のレイアウトに制約を受けると共に、操作性が犠牲になるおそれがある。
【０００４】
従来、小型化を維持しながら情報量の多いデータやメッセージを表示可能にする表示装置の例としては、装置本体に設けた表示装置に対向して開閉自在の蓋体を設け、蓋体の裏面側に別の表示装置を配置することにより、蓋体を開いた際にマルチ画面を形成するようにしたものが提案されている（例えば、特許文献１参照）。このように従来では、表示面積を広げかつコンパクトに収納するために、折り畳み構造やスライド構造を用いて液晶表示素子等による表示部を配設する方法が採られている。
【０００５】
【特許文献１】特開平９−２４７２５０号公報（第２−３頁、図１）
【発明の開示】
【発明が解決しようとする課題】
【０００６】
上述したように、携帯電話機等の小型の電子機器において、種々の情報を大型の表示装置で表示する場合、装置筐体が大型化して持ち運びに不便であったり、操作部のレイアウトが困難となったり、操作性が悪化するなどの問題点が生じていた。
【０００７】
また、上記従来例の表示装置では、装置本体の表示装置と蓋体の裏面に設けた表示装置とは互いに独立して配置されているので、蓋体を開いた際に表示される画面は不連続となり、使用者にとって見づらい場合があり、特に、画像を表示する場合に不自然さが生ずるという問題点がある。
【０００８】
また、従来では表示装置における表示画面の大きさを表示情報の表示サイズに応じて変更することができないので、表示可能な情報量が制限されるという問題点がある。
【０００９】
本発明は、上記事情に鑑みてなされたもので、搭載した装置の操作性を損なうことなく、情報量の多い動画像等の画像データや大容量のメールデータ等を大画面で表示でき、かつ、非表示時には持ち運びが容易になるように小型化することができる表示装置を提供することを目的とする。
【課題を解決するための手段】
【００１０】
本発明の表示装置は、二次元平面状の表示面を有する表示装置であって、前記表示面を形成する可撓性を有する平板状の部材を含んで構成される表示部と、前記表示部の一端に接続され前記表示部を巻回する巻取展開軸部と、前記巻取展開軸部により巻回された表示部を収納する収納部と、前記収納部より突出して展開された前記表示部の展開量を検出する展開量検出部と、前記表示部の展開量と前記表示部に表示する表示情報の表示サイズとに応じて前記表示部に対する制御を行う表示制御部と、を備えるものである。
【００１１】
上記構成によれば、表示部を突出させて展開することにより、情報量の多い動画像等の画像データや大容量のメールデータ等であっても大画面で表示でき、また、非表示時には表示部を巻取展開軸部で巻き取って収納部に収納することにより、小型で持ち運びが容易な表示装置を実現可能となる。
【００１２】
また、上記の表示装置であって、前記表示制御部は、前記表示情報の表示サイズに応じて、前記巻取展開軸部の駆動制御を行って前記表示部の展開量を調整するものを含む。
【００１３】
上記構成によれば、表示制御部によって表示部の展開量を駆動制御し、表示情報の表示サイズに応じて展開量を変更できるため、情報量の多いデータであっても情報量に応じて適切に画面表示することが可能となる。
【００１４】
また、上記の表示装置であって、前記表示制御部は、前記展開量検出部で検出された前記表示部の展開量に応じて、前記表示情報の表示サイズを調整して前記表示部に送出するものを含む。
【００１５】
上記構成によれば、表示部の展開量に応じて表示情報の表示サイズを調整して表示することができるため、情報量の多いデータであっても表示部の展開量に応じて適切に画面表示することが可能となる。
【００１６】
また、上記の表示装置であって、前記表示制御部は、前記表示部が前記収納部より突出して展開された状態のときに前記表示部において情報表示を行い、前記表示部が前記収納部に収納された状態のときに前記表示部における情報表示を停止するものを含む。
【００１７】
上記構成によれば、必要時にのみ表示部を展開して情報量の多いデータを大画面で表示可能であり、表示画面の大型化と装置の小型化とを両立でき、さらに操作性や携帯性の向上を図ることも可能である。
【００１８】
また、上記の表示装置であって、前記表示制御部は、予め定めた所定の収納条件を満たす場合に、前記巻取展開軸部の駆動制御を行って前記表示部を前記収納部に収納するものを含む。
【００１９】
上記構成によれば、例えば、所定時間操作入力が無い、電池が無くなる直前である等の所定の収納条件を満たす場合に、表示部を自動的に収納して非表示時にすることができ、使い勝手を向上できる。
【００２０】
また、本発明は、上記いずれかに記載の表示装置を備えた電子機器を含む。この構成により、例えば携帯電話機等の小型の電子機器に表示装置を搭載することにより、情報量の多い動画像等の画像データや大容量のメールデータ等を大画面で表示でき、かつ、持ち運びが容易な小型の電子機器を得ることができる。
【００２１】
また、表示部の突出側の端部を収納部の開口部に配置させることにより、表示装置を搭載した電子機器を、例えば机上においたままで端部を手で摘んで引き出すなどの簡便な操作によって表示部を展開させて必要な情報を表示することが可能となる。
【発明の効果】
【００２２】
本発明の表示装置によれば、搭載した装置の操作性を損なうことなく、情報量の多い動画像等の画像データや大容量のメールデータ等を大画面で表示でき、かつ、非表示時には持ち運びが容易になるように小型化することができる。
【発明を実施するための最良の形態】
【００２３】
本実施形態では、小型の電子機器として携帯電話機を例にとり、表示装置を携帯電話機に適用した場合の構成例を示す。
【００２４】
図１は本発明の実施形態を説明するための携帯電話機の外観構成を示す図である。図２は本実施形態の表示装置を搭載した携帯電話機の内部構成を一部切欠き断面で示す図であり、図３は図２におけるＡ−Ａ’線断面を示す図である。
【００２５】
本実施形態の携帯電話機１は、本体２と、本体２に設けられた操作部３と、本体２に対して収納、展開可能に設けられた表示部４とを備えている。本体２は、薄型の略直方体の箱状に形成された筐体によって構成される。操作部３は、本体２の表面に配置されたテンキーや機能キー等の操作キーにより構成される。表示部４は、略矩形状の薄型で平板状の可撓性を有する部材からなり、二次元平面状の表示面を形成するもので、非表示時には本体２の内部に巻回状態で収納され、表示時には駆動手段または手動によって外部に展開可能に構成される。また、本体２の内部には、制御部１０、メモリ１１、表示制御部１２等の機能を実現する回路部品が基板上に搭載されて設けられている。
【００２６】
本体２の一側部には、表示部４を収納可能な収納部５が設けられ、この収納部５がある本体２の側面部に開口する細長の開口部６が形成されている。表示部４は、高分子液晶フィルム等により構成され、長手方向にロール状に巻回されて収納部５に収納される。この表示部４は、展開時にはその一端部が開口部６より突出し、平板状に拡張可能になっている。表示部４の突出側の一端部は、表示部４を手動で引き出す際に手でつまむための把持部となる厚肉の端部９を形成している。
【００２７】
収納部５には、表示部４を巻回して収納するための巻取展開軸７が回転自在に設けられ、表示部４の収納側の他端部が固着されている。この巻取展開軸７は、表示部４と表示制御部１２との間の電気的接続を行う図示しない信号線と、表示部４を開口部６より本体２外部へ繰り出して展開すると共に展開した表示部４を収納部５内に巻き取るための図示しない駆動機構とを備えている。なお、巻取展開軸７は、表示制御部１２の制御により駆動機構をオフさせることでフリー状態となり、この状態では使用者が表示部４の端部９をつまんで開口部６から引き出して展開することができる。
【００２８】
また、収納部５には、開口部６から繰り出され、または引き出されて展開された際の表示部４の展開量、すなわち外部に突出した表示部４の大きさを検出する展開量検出部８が配設されている。
【００２９】
図４は本実施形態の携帯電話機における機能的構成を示す図である。制御部１０は、携帯電話機１の全体の動作等の制御を行うもので、プロセッサを主体に構成される。表示制御部１２は、表示部４に関する情報表示や駆動等の制御を行うものである。メモリ１１は、制御部１０の動作プログラム、装置動作等に関する各種データ、表示部４において表示する画像や文字等の表示データ等を記憶するもので、ＲＡＭ、ＲＯＭ等により構成される。これらの制御部１０、メモリ１１、及び表示制御部１２が相互に接続されている。
【００３０】
表示制御部１２は、巻取展開軸７を介して展開量検出部８及び表示部４と接続されている。展開量検出部８は、フォトセンサ等により構成され、表示部４の収納部５内の巻回量や表示部４の側端部に設けた目盛り等を検出することによって、外部に突出した表示部４の大きさを検出し、検出信号を表示制御部１２に出力する。巻取展開軸７は、表示制御部１２の制御に基づいて回転し、表示部４の繰り出し、巻き取りを行う。表示制御部１２は、制御部１０からの表示情報に基づき、表示部４に表示信号を出力したり、制御部１０からの制御情報及び展開量検出部８からの検出信号に基づいて巻取展開軸７の駆動制御を行う。
【００３１】
表示部４は、表示制御部１２からの表示信号によって表示面に文字や画像等の情報表示を行う。このとき、例えば、表示制御部１２は表示部４が繰り出されるか引き出されて本体２の外部へ突出しているときに表示信号を出力して情報表示を行い、表示部４が巻取展開軸７に巻き取られて収納部５内に収納されているときに表示信号の出力を停止して情報表示を終了する。
【００３２】
次に、本実施形態の表示装置における動作について説明する。
図５は、表示部４を本体２から自動的に繰り出して展開して情報の表示を行う場合の動作手順のフローを示す図である。
【００３３】
この場合、まず、制御部１０は、携帯電話機１にテレビ電話等の着信があるか否か、若しくは、画像を表示するための操作部３からの操作信号入力があるか否かを監視する（ステップＳ１１）。ここで、着信や操作信号入力があった場合、制御部１０は表示する画像データの表示情報と表示部４の展開サイズをこの表示情報の表示サイズに調整するための制御情報を表示制御部１２に送出する（ステップＳ１２）。携帯電話機１に予め記憶されている画像データを表示する場合は、制御部１０はメモリ１１から画像データを読み出して表示情報として表示制御部１２に転送する。
【００３４】
表示制御部１２は、制御部１０からの制御情報を受けて巻取展開軸７に駆動信号を送出し、巻取展開軸７の図示しない駆動機構を駆動させる（ステップＳ１３）。これにより、表示部４は本体２の開口部６から繰り出されて展開される。このとき、展開量検出部８により表示部４の展開量、すなわち外部に突出した表示部４の表示面の面積が検出され、検出信号として表示制御部１２にフィードバックされる。表示制御部１２は、表示部４の展開量が表示情報の表示サイズに相当する指定の大きさであるか否かを判定する（ステップＳ１４）。
【００３５】
ここで、表示情報の表示サイズと表示部４の展開量との対応関係について説明する。図６は表示情報の表示サイズに対応する表示部４の展開量の一例を示す図である。この図６は、携帯電話機１において表示可能な表示情報の最大サイズが１０２４×７６８ピクセルであるとき、表示部４の全体を本体２から繰り出して表示する場合の展開量を１００％として表したものである。よって、表示サイズが１０２４×７６８ピクセルのときは展開量１００％、表示サイズが８００×６００ピクセルのときは展開量７５％、表示サイズが６４０×４８０ピクセルのときは展開量５０％、表示サイズが３２０×２４０ピクセルのときは展開量２５％にそれぞれ設定される。
【００３６】
図５のステップＳ１４で、表示部４の展開量が表示情報の表示サイズに対応する指定のサイズであると判定された場合は、ステップＳ１５に進み、表示制御部１２は表示部４へ画像データの表示情報に基づく表示信号を送出する。これにより、表示部４に指定の表示サイズで表示情報が表示される。一方、ステップＳ１４で表示部４の展開量が指定のサイズに満たない場合は、ステップＳ１２に戻り、表示サイズに対応する展開量となるまで表示部４を繰り出す制御を繰り返す。
【００３７】
図７は、表示部４を使用者が本体２から任意に引き出して展開して情報の表示を行う場合の動作手順のフローを示す図である。
【００３８】
この場合、使用者によって表示部４の端部９が指先で摘まれて開口部６から引き出されると（ステップＳ２１）、展開量検出部８は引き出された表示部４の展開量を検出し（ステップＳ２２）、展開量データとして表示制御部１２に送出する（ステップＳ２３）。これにより、表示制御部１２は現在の表示部４の展開量を取得する。
【００３９】
次いで、制御部１０は表示制御部１２から展開量データを受けて表示情報の表示サイズを変更するか否かを判断し（ステップＳ２４）、展開量と表示サイズとが対応しない場合は表示情報の表示サイズを変更する（ステップＳ２５）。
【００４０】
ここで、表示部４の展開量と変更する表示情報の表示サイズとの対応関係について説明する。図８は表示部４の展開量に対応して変更可能な表示情報の表示サイズの一例を示す図である。この図８より、展開量が７５〜１００％であれば、表示サイズを１０２４×７６８ピクセルに変更可能であり、展開量が５０〜７５％であれば表示サイズを８００×６００ピクセルに、展開量が２５〜５０％であれば表示サイズを６４０×４８０ピクセルに、展開量が２５％未満のときは３２０×２４０ピクセルにそれぞれ変更可能である。
【００４１】
次に、制御部１０は表示制御部１２に画像データの表示情報を送出する（ステップＳ２６）。なお、ステップＳ２４で表示サイズの変更を行わない場合は、ステップＳ２５の表示サイズ変更ステップを行わずにステップＳ２６で表示情報を送出する。そして、表示制御部１２は表示部４へ前記表示情報に基づく表示信号を送出する。これにより、表示部４に指定の表示サイズで表示情報が表示される（ステップＳ２７）。
【００４２】
図９は、本体２から自動的に繰り出されたか、或いは使用者により任意に引き出されて本体２から突出した表示部４を、本体２の収納部５に収納する場合の動作手順のフローを示す図である。
【００４３】
この場合、まず、制御部１０は、携帯電話機１において一定時間無入力状態が続いているか否かを監視する（ステップＳ３１）。そして、無入力状態が続いている場合は、表示部４を収納することのできる予め定めた収納条件、例えば、一定時間キー操作がない場合や電池の残量が無くなる寸前である等の収納条件を満たすかどうかを確認する（ステップＳ３２）。なお、ここで表示部４を収納するための操作部３からの操作信号入力があるか否かを監視し、収納指示の操作信号入力があったときに収納条件を満たすかどうかを確認するようにしてもよい。
【００４４】
ステップＳ３２で収納条件を満たしていることが確認できると、制御部１０は表示部４を収納するための制御情報を表示制御部１２に送出する（ステップＳ３３）。表示制御部１２は、制御部１０からの制御情報を受けて巻取展開軸７に駆動信号を送出し、巻取展開軸７の図示しない駆動機構を駆動させる（ステップＳ３４）。これにより、表示部４は巻取展開軸７に巻き取られて本体２の収納部５内に収納される。そして、表示制御部１２は表示部４への表示信号の出力を停止して情報表示を終了する（ステップＳ３５）。
【００４５】
このように、本実施形態の表示装置は、携帯電話機１の本体２の側端部に収納部５を設け、収納部５の内部に備えた巻取展開軸７に高分子液晶フィルム等からなる可撓性を有するフィルム状の表示部４の一端を取り付け、巻取展開軸７にロール状に巻回して収納したり、本体２の開口部６から繰り出しまたは引き出して展開可能に構成する。
【００４６】
そして、表示部４を表示情報の表示サイズに対応する展開量となるように制御して本体２から繰り出して外部へ突出させ、表示情報を表示する。或いは、表示部４の端部９を使用者が摘んで引き出した場合に、表示部４の展開量に対応するように表示サイズを変更し、表示情報を表示する。
【００４７】
このような構成により、小型化と大画面の情報表示との相反する要求の両立が課題である携帯電話機等の電子機器に搭載した場合においても、搭載した装置の操作性を損なうことなく、また不自然さを生ずることなく、情報量の多い動画像等の画像データや大容量のメールデータ等を大画面で表示でき、かつ、非表示時には持ち運びが容易な小型の表示装置を実現することが可能となる。
【００４８】
なお、上記実施形態では、携帯電話機１の本体２をほぼ直方体状の箱体で構成した例について説明したが、可撓性のある表示部４をロール状に巻回して収納可能であり、かつ、平板状に展開可能であれば、他の形状であっても同様に本発明を適用可能である。
【００４９】
また、表示部４、収納部５、開口部６、巻取展開軸７等を本体２の長手方向の一側部に配設した例を説明したが、本体２の短手方向や本体２に正面に対して垂直方向等、その他の方向に開口する端部等の他の位置に配設しても同様に実施可能である。
【００５０】
本発明を詳細にまた特定の実施態様を参照して説明したが、本発明の精神と範囲を逸脱することなく様々な変更や修正を加えることができることは当業者にとって明らかである。
【００５１】
本出願は、2003年3月19日出願の日本特許出願Ｎｏ．2003-075860に基づくものであ
り、その内容はここに参照として取り込まれる。
【産業上の利用可能性】
【００５２】
以上説明したように本発明によれば、搭載した装置の操作性を損なうことなく、情報量の多い動画像等の画像データや大容量のメールデータ等を大画面で表示でき、かつ、非表示時には持ち運びが容易になるように小型化することができる表示装置を提供できる。
【図面の簡単な説明】
【００５３】
【図１】本発明の実施形態を説明するための携帯電話機の外観構成を示す図
【図２】本実施形態の表示装置を搭載した携帯電話機の内部構成を一部切欠き断面で示す図
【図３】図２におけるＡ−Ａ’線断面を示す図
【図４】本実施形態の携帯電話機における機能的構成を示す図
【図５】表示部を本体から自動的に繰り出して展開して情報の表示を行う場合の動作手順のフローを示す図
【図６】表示情報の表示サイズに対応する表示部の展開量の一例を示す図
【図７】表示部を使用者が本体から任意に引き出して展開して情報の表示を行う場合の動作手順のフローを示す図
【図８】表示部の展開量に対応して変更可能な表示情報の表示サイズの一例を示す図
【図９】本体から突出した表示部を本体の収納部に収納する場合の動作手順のフローを示す図
【符号の説明】
【００５４】
１  携帯電話機
２  本体
３  操作部
４  表示部
５  収納部
６  開口部
７  巻取展開軸
８  展開量検出部
９  端部
１０  制御部
１１  メモリ
１２  表示制御部
【手続補正３】
【補正対象書類名】図面
【補正対象項目名】全図
【補正方法】変更
【補正の内容】
【図１】
2004084171.tif 000012
【図２】
2004084171.tif 000013
【図３】
2004084171.tif 000014
【図４】
2004084171.tif 000015
【図５】
2004084171.tif 000016
【図６】
2004084171.tif 000017
【図７】
2004084171.tif 000018
【図８】
2004084171.tif 000019
【図９】
2004084171.tif 000020
【国際調査報告】
2004084171.tif 000021
2004084171.tif 000022
2004084171.tif 000023
2004084171.tif 000024